(57)【要約】    【構成】ステレオ再生システム１００に含まれる、携帯電話機１０ａおよび携帯電話機１０ｂは近距離無線通信によって接続される。携帯電話機１０ａでＴＶ視聴機能が実行されているときに、ステレオ再生操作がされると、各携帯電話機１０の電池残容量が比較される。比較された結果、携帯電話機１０ａの電池残容量の方が多ければ、携帯電話機１０ａは左側のステレオ音声を出力すると共に、携帯電話機１０ｂに音声信号を送信する。一方、携帯電話機１０ｂは、受信した音声信号に基づいて、右側のステレオ音声を出力する。    【効果】２台の携帯電話機１０を利用して音声がステレオ出力されるため、使用者は携帯電話機１０でＴＶ放送のステレオ再生を楽しむことができる。また、電池残容量が多い携帯電話機１０で、消費電力が大きい音声データの再生が行われるため、音声データの再生時間が長くなる。その結果、使用者に対して適切な音声再生を行うことができる。【選択図】図１
2012182772.tif 000002
【特許請求の範囲】
【請求項１】
電池によって駆動され、他の端末と接続可能な、通信端末であって、
音声データを再生する再生部、
前記再生部によって再生された音声信号に基づく音声を出力する出力部、
前記他の端末から送信された音声信号を受信する受信部、
自身の電池残容量と、前記他の端末の電池残容量とを比較する比較部、
前記比較部の比較結果において、前記他の端末の電池残容量が自身の電池残容量以上の場合に、前記他の端末に自身への音声信号の送信を指示する第１送信指示部、および
前記第１送信指示部によって指示がされた後に、前記再生部による音声信号の再生を停止する停止部を備える、通信端末。
【請求項２】
前記再生部によって再生された音声信号を前記他の端末に送信する送信部をさらに備え、
前記出力部は、前記比較部の比較結果において、自身の電池残容量が前記他の端末の電池残容量より多い場合に、前記再生部によって再生された音声信号に基づく音声を出力し、
前記送信部は、前記出力部から音声が出力された後に、前記再生部によって再生された音声信号を前記他の端末に送信する、請求項１記載の通信端末。
【請求項３】
前記他の端末の電池残容量が自身の電池残容量よりも所定値以上多いかを判断する判断部、および
前記判断部によって前記他の端末の電池残容量が自身の電池残容量よりも所定値以上多いと判断されたとき、前記他の端末に自身への音声信号の送信を指示する第２送信指示部をさらに備える、請求項２記載の通信端末。
【請求項４】
放送を受信する放送受信部をさらに備え、
前記再生部は、前記放送受信部によって受信された放送に含まれる音声データを再生する、請求項１ないし３のいずれかに記載の通信端末。
【請求項５】
それぞれが電池によって駆動され、互いに接続可能な複数の通信端末を有する、音声再生システムであって、
前記複数の通信端末のうち少なくとも２つの通信端末は、
音声データを再生する再生部、
前記再生部によって再生された音声信号に基づく音声を出力する第１出力部、
前記再生部によって再生された音声信号を送信する送信部、
送信された音声信号を受信する受信部、
前記受信部によって受信された音声信号に基づく音声を出力する第２出力部、
前記少なくとも２つの通信端末の電池残容量を比較する比較部、および
前記比較部の比較結果において、電池残容量が多い一方の通信端末の前記送信部に音声信号の送信を指示する送信指示部を備え、
前記一方の通信端末では、前記再生部によって再生された音声信号に基づく音声が前記第１出力部から出力され、
電池残容量が少ない他方の通信端末では、受信した音声信号に基づく音声が前記第２出力部によって出力される、音声再生システム。
【請求項６】
前記少なくとも２つの通信端末は、
前記他方の通信端末の電池残容量が前記一方の通信端末の電池残容量よりも所定値以上多いかを判断する判断部、および
前記判断部によって前記他方の通信端末の電池残容量が前記一方の通信端末の電池残容量よりも所定値以上多いと判断されたとき、音声信号を送信する通信端末の交代を前記他方の通信端末に指示する交代指示部をさらに備え、
前記送信指示部は、前記交代指示部によって交代が指示された後に、電池残容量が多い一方の通信端末の前記送信部に音声信号の送信を指示する、請求項５記載の音声再生システム。
【請求項７】
前記少なくとも２つの通信端末は、
放送を受信する放送受信部をさらに備え、
前記再生部は、前記放送受信部によって受信された放送に含まれる音声データを再生する、請求項５または６記載の音声再生システム。
【請求項８】
電池によって駆動され、音声データを再生する再生部、前記再生部によって再生された音声信号に基づく音声を出力する出力部および前記他の端末から送信された音声信号を受信する受信部を有し、他の端末と接続可能な、通信端末のプロセッサを、
自身の電池残容量と、前記他の端末の電池残容量とを比較する比較部、
前記比較部の比較結果において、前記他の端末の電池残容量が自身の電池残容量以上の場合に、前記他の端末に自身への音声信号の送信を指示する送信指示部、および
前記送信指示部によって指示がされた後に、前記再生部による音声信号の再生を停止する停止部として機能させる、再生制御プログラム。
【請求項９】
電池によって駆動され、音声データを再生する再生部、前記再生部によって再生された音声信号に基づく音声を出力する出力部および前記他の端末から送信された音声信号を受信する受信部を有し、他の端末と接続可能な、通信端末の再生制御方法であって、
自身の電池残容量と、前記他の端末の電池残容量とを比較し、
比較結果において、前記他の端末の電池残容量が自身の電池残容量以上の場合に、前記他の端末に自身への音声信号の送信を指示し、そして
前記他の端末に指示がされた後に、前記再生部による音声信号の再生を停止する、再生制御方法。
【請求項１０】
それぞれが電池によって駆動され、互いに接続可能な複数の通信端末を有する、音声再生システムの音声再生方法であって、
前記複数の通信端末のうち少なくとも２つの通信端末は、
音声データを再生する再生部、
前記再生部によって再生された音声信号に基づく音声を出力する第１出力部、
前記再生部によって再生された音声信号を送信する送信部、
送信された音声信号を受信する受信部、および
前記受信部によって受信された音声信号に基づく音声を出力する第２出力部を含み、さらに
前記少なくとも２つの電池残容量を比較し、
前記比較部の比較結果において、電池残容量が多い一方の通信端末の前記送信部に音声信号の送信を指示し、
前記一方の通信端末では、前記再生部によって再生された音声信号に基づく音声を前記第１出力部から出力し、そして
電池残容量が少ない他方の通信端末では、受信した音声信号に基づく音声を前記第２出力部から出力する、音声再生方法。
【発明の詳細な説明】
【技術分野】
【０００１】
この発明は、通信端末、音声再生システム、再生制御プログラム、再生制御方法および音声再生方法に関し、特に端末に設けられたスピーカから音声が出力される、通信端末、音声再生システム、再生制御プログラム、再生制御方法および音声再生方法に関する。
【背景技術】
【０００２】
端末に設けられたスピーカから音声が出力される、通信端末の一例が特許文献１に開示されている。この背景技術の二つ折り型携帯電話は、上蓋と下蓋とが閉じたり開いたりし、下蓋の送話口と上蓋の受話口との近傍には、それぞれスピーカが設けられている。そして、使用者は、両蓋を開いて音楽を再生することで、ステレオで音楽を楽しむことができる。
【特許文献１】特開２００６−４２０９９号公報［H04M 1/21, H04M 1/02］
【発明の概要】
【発明が解決しようとする課題】
【０００３】
ところが、携帯電話機に２つのスピーカを設けたとしても、２つのスピーカの設置距離が近くなるため、十分なステレオ再生ができず、使用者に対して適切な音声再生ができない。
【０００４】
それゆえに、この発明の主たる目的は、新規な、音声再生システムおよび音声再生方法を提供することである。
【０００５】
この発明の他の目的は、使用者に対して適切な音声再生を行うことができる、通信端末、音声再生システム、再生制御プログラム、再生制御方法および音声再生方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、電池によって駆動され、他の端末と接続可能な、通信端末であって、音声データを再生する再生部、再生部によって再生された音声信号に基づく音声を出力する出力部、他の端末から送信された音声信号を受信する受信部、自身の電池残容量と、他の端末の電池残容量とを比較する比較部、比較部の比較結果において、他の端末の電池残容量が自身の電池残容量以上の場合に、他の端末に自身への音声信号の送信を指示する第１送信指示部、および第１送信指示部によって指示がされた後に、再生部による音声信号の再生を停止する停止部を備える、通信端末である。
【０００８】
第１の発明では、通信端末（１０ａ，１０ｂ：実施例において対応する部分を例示する参照符号。以下、同じ。）は電池（４６）によって駆動され、たとえばＢｌｕｅｔｏｏｔｈ（登録商標）形式の近距離無線通信によって他の端末（１０ａ，１０ｂ）と接続される。通信端末では、ＴＶ放送などに含まれる音声データや、音楽ファイルに含まれる音声データが再生部（２４，Ｓ３３）によって再生される。出力部（２２ｂ）は音声を出力するためのスピーカである。ステレオ再生が行われる場合は、ステレオ再生の設定に基づいて、ステレオ再生における左側または右側のどちらか一方のステレオ音声が出力部から出力される。受信部（４０，４２）は、たとえば近距離無線通信によって送信された音声信号を受信する。
【０００９】
たとえば、通信端末に対して、通信端末の電池残容量と他の端末の電池残容量とが集められる。そして、比較部（２４，Ｓ３１）は、集められた電池残容量を比較する。第１送信指示部（２４，Ｓ３７）は、比較された結果において、他の端末の電池残容量のほうが多ければ、他の端末に対して音声信号の送信を指示する。そして、送信の指示がされた場合、停止部（２４，Ｓ５１）によって再生部による音声信号の再生が停止される。
【００１０】
第１の発明によれば、電池残容量が他の端末よりも少なければ、他の端末で再生および送信された音声信号を利用して音声を出力することで、音声を出力する時間を長くすることができる。
【００１１】
第２の発明は、第１の発明に従属し、再生部によって再生された音声信号を他の端末に送信する送信部をさらに備え、出力部は、比較部の比較結果において、自身の電池残容量が他の端末の電池残容量より多い場合に、再生部によって再生された音声信号に基づく音声を出力し、送信部は、出力部から音声が出力された後に、再生部によって再生された音声信号を他の端末に送信する。
【００１２】
第２の発明では、送信部（４０，４２）は、再生された音声信号を、たとえば近距離無線通信によって他の端末に送信する。また、出力部は、自身の電池残容量が他の端末の電池残容量よりも多ければ、再生された再生された音声信号に基づく音声を出力する。そして、音声が出力されると、送信部は再生された音声信号を他の端末に送信する。
【００１３】
第２の発明によれば、他の端末も音声を出力できる場合、他の端末も利用して音声を出力できる。そのため、ステレオ再生を行う場合、使用者は、２つの端末を利用してステレオ再生を楽しむことができる。
【００１４】
第３の発明は、第２の発明に従属し、他の端末の電池残容量が自身の電池残容量よりも所定値以上多いかを判断する判断部、および判断部によって他の端末の電池残容量が自身の電池残容量よりも所定値以上多いと判断されたとき、他の端末に自身への音声信号の送信を指示する第２送信指示部をさらに備える。
【００１５】
第３の発明では、判断部（２４、Ｓ４３）は、他の端末の各電池残容量が通信端末の電池残容量よりも所定値以上多いかを判断する。このとき、音声データが再生された結果、他方の通信端末の電池残容量が一方の通信端末の電池残容量より所定値以上多ければ、第２送信指示部（２４，Ｓ４７）は、判断部の判断結果に基づいて、他の端末に自身への音声信号の送信を指示する。
【００１６】
第３の発明によれば、音声データを再生することで電池残容量が少なくなったとしても、他の端末から送信された音声信号に基づいて、音声の出力を続けることができる。
【００１７】
第４の発明は、第１の発明ないし第３の発明のいずれかに従属し、放送を受信する放送受信部をさらに備え、再生部は、放送受信部によって受信された放送に含まれる音声データを再生する。
【００１８】
第４の発明では、通信端末は、たとえばＴＶ放送を受信する放送受信部（３６，３８）を含み、ＴＶ視聴機能を実行できる。そして、通信端末の再生部は、ＴＶ放送に含まれる音声データを再生する。
【００１９】
第４の発明によれば、放送であれば受信できる範囲が広いため、通信端末が音声データを容易に取得できる。
【００２０】
第５の発明は、それぞれが電池によって駆動され、互いに接続可能な複数の通信端末を有する、音声再生システムであって、複数の通信端末のうち少なくとも２つの通信端末は、音声データを再生する再生部、再生部によって再生された音声信号に基づく音声を出力する第１出力部、再生部によって再生された音声信号を送信する送信部、送信された音声信号を受信する受信部、受信部によって受信された音声信号に基づく音声を出力する第２出力部、少なくとも２つの通信端末の電池残容量を比較する比較部、および比較部の比較結果において、電池残容量が多い一方の通信端末の送信部に音声信号の送信を指示する送信指示部を備え、一方の通信端末では、再生部によって再生された音声信号に基づく音声が第１出力部から出力され、電池残容量が少ない他方の通信端末では、受信した音声信号に基づく音声が第２出力部によって出力される、音声再生システムである。
【００２１】
第５の発明では、音声再生システム（１００）では、たとえば、Ｂｌｕｅｔｏｏｔｈ形式の近距離無線通信で少なくとも２つの通信端末が接続され、それぞれは、二次電池（４６）によって駆動される。少なくとも２つの通信端末では、ＴＶ放送などに含まれる音声データや、音楽ファイルに含まれる音声データが再生部（２４，Ｓ３３）によって再生される。また、第１出力部（２２ｂ）は音声を出力するためのスピーカである。また、ステレオ再生が行われる場合は、ステレオ再生の設定に基づいて、ステレオ再生における左側または右側のどちらか一方のステレオ音声が第１出力部から出力される。送信部（４０，４２）は、再生された音声信号を、近距離無線通信によって送信する。また、受信部（４０，４２）は、近距離無線通信によって送信された音声信号を受信する。そして、第２出力部（２２ｂ）は第１出力部と同じスピーカであるが、ステレオ再生が行われる場合、第２出力部は、第１出力部が出力するステレオ音声とは逆のステレオ音声が出力される。
【００２２】
たとえば、片方の通信端末に対して、少なくとも２つの通信端末の電池残容量が集められる。そして、比較部（２４，Ｓ３１）は、集められた電池の電池残容量をそれぞれ比較する。送信指示部（２４，Ｓ３７）は、比較された結果において、電池残容量が多い一方の通信端末の送信部に対して、再生によって得られた音声信号の送信を指示する。そして、一方の通信端末において、左側のステレオ音声を出力する設定がされていれば、電池残容量が多い一方の通信端末では、左側のステレオ音声が第１出力部から出力される。また、電池残容量が少ない他方の通信端末では、右側のステレオ音声が第２出力部から出力される。
【００２３】
第５の発明によれば、たとえば２つの通信端末を利用して、音声がステレオ出力されるため、使用者は通信端末でステレオ再生を楽しむことができる。
【００２４】
また、電池残容量が多い通信端末で、消費電力が大きい音声データの再生が行われるため、音楽データの再生時間を長くすることができる。
【００２５】
第６の発明は、第５の発明に従属し、少なくとも２つの通信端末は、他方の通信端末の電池残容量が一方の通信端末の電池残容量よりも所定値以上多いかを判断する判断部、および判断部によって他方の通信端末の電池残容量が一方の通信端末の電池残容量よりも所定値以上多いと判断されたとき、音声信号を送信する通信端末の交代を他方の通信端末に指示する交代指示部をさらに備え、送信指示部は、交代指示部によって交代が指示された後に、電池残容量が多い一方の通信端末の送信部に音声信号の送信を指示する。
【００２６】
第６の発明では、判断部（２４、Ｓ４３）は、片方の通信端末に集められた電池残容量において、他方の通信端末の電池残容量が一方の通信端末の電池残容量よりも所定値以上多いかを判断する。また、音声データが再生された結果、他方の通信端末の電池残容量が一方の通信端末の電池残容量より所定値以上多ければ、交代指示部（２４，Ｓ４７）は、判断部の判断結果に基づいて、音声信号を送信する通信端末の交代を他方の通信端末に指示する。そして、送信指示部は、交代指示がされた後で、電池残容量が多い一方の通信端末の送信部に音声信号の送信を指示する。
【００２７】
第６の発明によれば、各通信端末の電池残容量を所定時間毎に確認すれば、電池残容量が多い通信端末が、消費電流が音声の再生を行うようになるため、音声データの再生時間をより長くすることができる。また、２つの通信端末の電池残容量が略同じ状態の場合に、音声を再生する通信端末が頻繁に交代してしまうのを防ぐことができる。
【００２８】
第７の発明は、第５の発明または第６の発明に従属し、各通信端末は、放送を受信する放送受信部をさらに含み、再生部は、放送受信部によって受信された放送に含まれる音声データを再生する。
【００２９】
第７の発明では、各通信端末は、たとえばＴＶ放送を受信する放送受信部（３６，３８）を含み、ＴＶ視聴機能を実行できる。そして、各通信端末の再生部は、ＴＶ放送に含まれる音声データを再生する。
【００３０】
第７の発明によれば、放送のステレオ再生であれば、各通信端末が同一の音声データを容易に取得できるため汎用性が高くなる。
【００３１】
第８の発明は、電池（４６）によって駆動され、音声データを再生する再生部（２４，Ｓ３３）、再生部によって再生された音声信号に基づく音声を出力する出力部（２２ｂ）および他の端末（１０ａ，１０ｂ）から送信された音声信号を受信する受信部（４０，４２）を有し、他の端末と接続可能な、通信端末（１０ａ，１０ｂ）のプロセッサ（２４）を、自身の電池残容量と、他の端末の電池残容量とを比較する比較部（Ｓ３１）、比較部の比較結果において、他の端末の電池残容量が自身の電池残容量以上の場合に、他の端末に自身への音声信号の送信を指示する送信指示部（Ｓ３７）、および送信指示部によって指示がされた後に、再生部による音声信号の再生を停止する停止部（Ｓ５１）として機能させる、再生制御プログラムである。
【００３２】
第８の発明でも、第１の発明と同様、電池残容量が他の端末よりも少なければ、他の端末で再生および送信された音声信号を利用して音声を出力することで、音声を出力する時間を長くすることができる。
【００３３】
第９の発明は、電池（４６）によって駆動され、音声データを再生する再生部（２４，Ｓ３３）、再生部によって再生された音声信号に基づく音声を出力する出力部（２２ｂ）および他の端末（１０ａ，１０ｂ）から送信された音声信号を受信する受信部（４０，４２）を有し、他の端末と接続可能な、通信端末（１０ａ，１０ｂ）の再生制御方法であって、自身の電池残容量と、他の端末の電池残容量とを比較し（Ｓ３１）、比較結果において、他の端末の電池残容量が自身の電池残容量以上の場合に、他の端末に自身への音声信号の送信を指示し（Ｓ３７）、そして他の端末に指示がされた後に、再生部による音声信号の再生を停止する（Ｓ５１）、再生制御方法である。
【００３４】
第９の発明でも、第１の発明と同様、電池残容量が他の端末よりも少なければ、他の端末で再生および送信された音声信号を利用して音声を出力することで、音声を出力する時間を長くすることができる。
【００３５】
第１０の発明は、それぞれが電池（４６）によって駆動され、互いに接続可能な複数の通信端末を有する、音声再生システム（１００）の音声再生方法であって、複数の通信端末のうち少なくとも２つの通信端末は、音声データを再生する再生部（２４，Ｓ３３）、再生部によって再生された音声信号に基づく音声を出力する第１出力部（２２ｂ）、再生部によって再生された音声信号を送信する送信部（４０，４２）、送信された音声信号を受信する受信部（４０，４２）、および受信部によって受信された音声信号に基づく音声を出力する第２出力部（２２ｂ）を含み、さらに少なくとも２つの電池残容量を比較し（２４，Ｓ３１）、比較部の比較結果において、電池残容量が多い一方の通信端末の送信部に音声信号の送信を指示し（２４，Ｓ３７）、一方の通信端末では、再生部によって再生された音声信号に基づく音声を第１出力部から出力し、そして電池残容量が少ない他方の通信端末では、受信した音声信号に基づく音声を第２出力部から出力する、音声再生方法である。
【００３６】
第１０の発明でも、第５の発明と同様、たとえば２つの通信端末を利用して、音声がステレオ出力されるため、使用者は通信端末でステレオ再生を楽しむことができる。
【００３７】
また、電池残容量が多い通信端末で、消費電力が大きい音声データの再生が行われるため、音楽データの再生時間を長くすることができる。
【発明の効果】
【００３８】
この発明によれば、使用者に対して適切な音声再生を行うことができる。
【００３９】
この発明の上述の目的、その他の目的、特徴および利点は、図面を参照して行う以下の実施例の詳細な説明から一層明らかとなろう。
【図面の簡単な説明】
【００４０】
【図１】図１はこの発明の一実施例の携帯電話機の電気的な構成を示す図解図である。
【図２】図２は図１に示す携帯電話機の外観の一例を示す図解図である。
【図３】図３は図１に示す携帯電話機が置かれる置き台の外観の一例を示す図解図である。
【図４】図４は図１に示す携帯電話機が置き台に置かれた状態の一例を示す図解図である。
【図５】図５は図１に示すディスプレイ３０にＴＶ放送の映像が表示された状態の一例を示す図解図である。
【図６】図６は図１に示す各携帯電話機を利用してステレオ再生されている状態の一例を示す図解図である。
【図７】図７は図１に示すＲＡＭのメモリマップの一例を示す図解図である。
【図８】図８は図１に示すプロセッサのＴＶ視聴処理の一例を示すフロー図である。
【図９】図９は図１に示すプロセッサの第１音声制御処理の一例を示すフロー図である。
【図１０】図１０は図１に示すプロセッサの第２音声制御処理の一例を示すフロー図である。
【発明を実施するための形態】
【００４１】
図１を参照して、この実施例の音声再生システム１００は、たとえばＢｌｕｅｔｏｏｔｈ形式の近距離無線通信によってお互いが接続される、携帯電話機１０ａおよび携帯電話機１０ｂを有する。また、携帯電話機１０ａおよび携帯電話機１０ｂのそれぞれは、二次電池によって駆動される。なお、携帯電話機１０ａ，１０ｂの構成は、略同じであるため、この２つを区別しない場合には、「携帯電話機１０」と言うことにする。
【００４２】
携帯電話機１０は、通信端末の一種であり、コンピュータまたはＣＰＵと呼ばれるプロセッサ２４を含む。また、プロセッサ２４は時刻情報を出力するＲＴＣ２０ａが内蔵されるとともに、無線通信回路１４、Ａ／Ｄ変換器１６、第１Ｄ／Ａ変換器２０ａ、第２Ｄ／Ａ変換器２０ｂ、キー入力装置２６、表示ドライバ２８、フラッシュメモリ３２、ＲＡＭ３４、ＴＶチューナ３６、近距離無線通信回路４０および電源回路４４が接続される。無線通信回路１４にはアンテナ１２が接続される。また、Ａ／Ｄ変換器１６にはマイク１８が接続され、第１Ｄ／Ａ変換器２０ａおよび第２Ｄ／Ａ変換器２０ｂには第１スピーカ２２ａおよび第２スピーカ２２ｂが接続される。また、表示ドライバ２８にはディスプレイ３０が接続され、ＴＶチューナ３６にはＴＶアンテナ３８が接続される。さらに、近距離無線通信回路４０には近距離無線通信アンテナ４２が接続される。そして、電源回路４４には二次電池４６が接続される。
【００４３】
プロセッサ２４は携帯電話機１０の全体制御を司る。ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００４４】
Ａ／Ｄ変換器１６は、当該Ａ／Ｄ変換器１６に接続されたマイク１８を通して入力される音声ないし音についてのアナログ音声信号を、デジタル音声信号に変換する。第１Ｄ／Ａ変換器２０ａおよび第２Ｄ／Ａ変換器２０ｂは、デジタル音声信号をアナログ音声信号に変換（復号）して、図示しないアンプを介して第１スピーカ２２ａおよび第２スピーカ２２ｂに与える。したがって、アナログ音声信号に対応する音声ないし音が第１スピーカ２２ａおよび第２スピーカ２２ｂから出力される。また、プロセッサ２４は、アンプの増幅率を制御することで、第１スピーカ２２ａおよび第２スピーカ２２ｂから出力される音声の音量を調整することができる。なお、第２スピーカ２２ｂは、第１出力部または第２出力部と呼ばれることもある。
【００４５】
キー入力装置２６は操作部と呼ばれ、図２に示す第１キー群２６ａおよび第２キー群２６ｂを備える。そして、使用者が操作したキーの情報（キーデータ）はプロセッサ２４に入力される。また、キー入力装置２６に含まれる各キーが操作されると、クリック音が鳴る。したがって、使用者は、クリック音を聞くことで、キー操作に対する操作感を得ることができる。
【００４６】
表示ドライバ２８は、プロセッサ２４の指示の下、当該表示ドライバ２８に接続されたディスプレイ３０の表示を制御する。また、表示ドライバ２８は表示する画像データを一時的に記憶するビデオメモリ（図示せず）を含む。なお、ディスプレイ３０は表示部と呼ばれることもある。
【００４７】
ＴＶチューナ３６はデコーダを含むデジタルチューナである。またＴＶチューナ３６は、ＴＶアンテナ３８によって受信したテレビ放送信号から、選局されたチャンネルに対応するテレビ放送信号を抽出する。また、ＴＶチューナ３６は、その抽出したテレビ放送信号に対して復調等の処理を行い、復調信号（ＭＰＥＧ２トランスポートストリームとも言う。）を生成する。また、ＴＶチューナ３６は復調信号をデコーダに出力する。デコーダは、ＭＰＥＧ−ＴＳデコーダ、ビデオデコーダおよびオーディオデコーダなどを含む。デコーダに入力された復調信号は、まずＭＥＰＧ−ＴＳデコーダによってＭＰＥＧ方式に基づいた復号処理が行われ、映像データおよび音声データなどが形成される。さらに、映像データはビデオデコーダでデコードされ、音声データは音声デコーダでデコードされる。なお、音声データは、モノラル音声にデコードされるが、使用者の操作に応じて、ステレオ音声にデコードされる場合もある。
【００４８】
そして、上記のようにしてデコードされた各データはプロセッサ２４に入力される。プロセッサ２４は、デコードされた映像データをビデオメモリに格納し、デコードされたデジタル音声信号を、一旦ＲＡＭ３４に格納した後に、第２Ｄ／Ａ２０ｂに出力する。したがって、受信したテレビ放送に従う映像がディスプレイ３０に表示されるとともに、放送の音声が第２スピーカ２２ｂから出力される。
【００４９】
なお、ＴＶチューナ３６およびＴＶアンテナ３８はまとめて放送受信部と呼ばれることもある。また、上記の処理は、使用者によってＴＶ視聴機能を利用する操作がされると、実行される。さらに、キー入力装置２６によって、チャンネルが選局されると、プロセッサ２４は選局命令をＴＶチューナ３６に出力する。
【００５０】
携帯電話機１０ａの近距離無線通信回路４０は、Ｂｌｕｅｔｏｏｔｈ形式などの近距離無線通信を、携帯電話機１０ｂの近距離無線通信回路４０との間に確立する。具体的には、使用者が、相手から教えられた暗証番号を入力すると、携帯電話機１０ａと携帯電話機１０ｂとの近距離無線通信が確立される。この状態では、アドレス帳データや、プロフィールデータなどの送受信を行うことができる。
【００５１】
また、Ｂｌｕｅｔｏｏｔｈ形式などの近距離無線通信において、暗証番号を入力して近距離無線通信を確立する操作を「ペアリング」と言う。また、過去にペアリングが行われていれば、次回からは暗証番号を入力せずに、携帯電話機１０ａの近距離無線通信回路４０と携帯電話機１０ｂの近距離無線通信回路４０との近距離無線通信を確立することができる。なお、ペアリングを行う際には、自身が決めた暗証番号を相手に伝えてもよい。また、近距離無線通信回路４０および近距離無線通信アンテナ４２は、まとめて送信部または受信部と呼ばれることもある。
【００５２】
ただし、他の実施例では、Ｂｌｕｅｔｏｏｔｈ形式などの近距離無線通信以外の近距離無線通信の方式で、無線通信が確立されてもよい。さらに、無線以外の有線などによって携帯電話機１０ａと携帯電話機１０ｂとが接続され、データの送受信が行われてもよい。
【００５３】
電源回路４４は、電源管理用のＩＣであり、二次電池４６と接続される。そして、電源回路４４は二次電池４６の電圧に基づく電源をシステム全体に供給する。ここで、電源回路４４が電源をシステム全体に供給している場合には、電源オン状態と言うことにする。一方、電源回路４４が電源をシステム全体に供給していない場合には、電源オフ状態と言うことにする。電源回路４４は、電源オフ状態で、キー入力装置２６によって電源オン操作がされると起動され、電源オン状態で、キー入力装置２６による電源オフ操作がされると停止される。さらに、電源オフ状態であっても、電源回路４４は、外部電源が接続され、二次電池４６に電力が供給（充電）されると起動し、二次電池４６の満充電状態が検知されると停止する。また、「充電」とは、外部電源と接続され外部電源から電力の供給を受け、二次電池４６が電気エネルギーを蓄えることを言う。
【００５４】
無線通信回路１４は、ＣＤＭＡ方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００５５】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、第１Ｄ／Ａ変換器２０ａによってアナログ音声信号に変換された後、第１スピーカ２２ａから出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００５６】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号など）をディスプレイ３０に表示する。また、これとほぼ同時に、プロセッサ２４は、第２スピーカ２２ｂから着信音（着信メロディ、着信音声と言うこともある。）を出力させる。
【００５７】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００５８】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００５９】
図２（Ａ）は、スライド型の携帯電話機の閉状態の外観を示す外観図であり、図２（Ｂ）は、スライド型の携帯電話機の開状態の外観を示す外観図であり、図２（Ｃ）は、スライド型の携帯電話機の閉状態の外観の裏面を示す外観図である。図２（Ａ）−（Ｃ）を参照して、携帯電話機１０は、各々が平面矩形の第１筐体Ｃ１および第２筐体Ｃ２を有し、第１筐体Ｃ１および第２筐体Ｃ２の厚みは略同じである。
【００６０】
第１筐体Ｃ１は第２筐体Ｃ２の上に重ねられた状態で、図示しないスライド機構によって連結される。したがって、図２（Ｂ）に示すように、第１筐体Ｃ１は第２筐体Ｃ２の縦方向にスライド可能である。
【００６１】
図示しないマイク１８は、第２筐体Ｃ２に内蔵され、内蔵されたマイク１８に通じる開口ＯＰ２は第２筐体Ｃ２の縦方向一方の上面に設けられる。同じく、図示しない第１スピーカ２２ａは第１筐体Ｃ１に内蔵され、内蔵された第１スピーカ２２ａに通じる開口ＯＰ１は、第１筐体Ｃ１の縦方向一方の上面に設けられる。さらに、図示しない第２スピーカ２２ｂは第２筐体Ｃ２の縦方向一方の裏面に設けられる。
【００６２】
キー入力装置２６は、複数のキーを含む第１キー群２６ａと第２キー群２６ｂとを含む。第１キー群２６ａは、方向キー、通話キー、終話キー、メニューおよび確定キーから構成されており、第１筐体Ｃ１の上面に設けられる。また、第２キー群２６ｂは、テンキーなどから構成されており、第２筐体Ｃ２の上面に設けられる。また、ディスプレイ３０は、モニタ画面が第１筐体Ｃ１の上面に露出するように取り付けられる。
【００６３】
たとえば、使用者は、ディスプレイ３０を確認しながら、テンキーを操作して電話番号を入力し、通話キーによって発呼操作を行い、終話キーによって通話終了操作を行う。また、使用者は、メニューキーを操作することでメニュー画面を表示し、方向キーなどによって任意のメニューを選択することができる。さらに、使用者は、確定キーを操作することで、選択されたメニューを確定することができる。そして、使用者は、終話キーを長押しすることで携帯電話機１０の電源をオン／オフする。
【００６４】
また、プロセッサ２４は、図示しない磁気センサおよび磁石によって、図２（Ｂ）に示す開状態および図２（Ａ），（Ｃ）に示す閉状態を検出することができる。
【００６５】
なお、アンテナ１２、無線通信回路１４、プロセッサ２４、表示ドライバ２８、フラッシュメモリ３２、ＲＡＭ３４、ＴＶチューナ３６、ＴＶアンテナ３８、近距離無線通信回路４０、近距離無線通信アンテナ４２、電源回路４４および二次電池４６などは、第１筐体Ｃ１または第２筐体Ｃ２に内蔵されており、図２（Ａ）−（Ｃ）では、図示されない。
【００６６】
図３（Ａ）は携帯電話機１０が置かれる置き台Ｃｒの正面の外観を示す外観図であり、図３（Ｂ）は置き台の側面の外観を示す外観図であり、図３（Ｃ）は置き台に携帯電話機１０が置かれた状態を示す外観図である。置き台Ｃｒは、置き台Ｃｒを安定して設置するためのベース部と、携帯電話機１０を保持する保持部とから構成される。また、図３（Ｂ）から分かるように、保持部は傾いた状態でベース部に取り付けられる。そのため、携帯電話機１０が置き台Ｃｒに置かれると、図３（Ｃ）のように、ディスプレイ３０が少し傾いた状態になる。
【００６７】
なお、携帯電話機１０が置き台Ｃｒに置かれた状態でも、第２スピーカ２２ｂに通じる開口ＯＰ３が保持部によって隠されることは無い。また、使用者は、保持部の傾きを任意に変化させることができる。
【００６８】
また、携帯電話機１０が置き台Ｃｒに置かれた状態で、ＴＶ視聴機能が実行された場合、携帯電話機１０および置き台Ｃｒを正面から見ると、図４のようになる。ただし、使用者が、ＴＶを視聴する際には、携帯電話機１０および置き台Ｃｒを上から見下げるような状態になるため、ディスプレイ３０に表示される映像は使用者にとって見やすい状態になる。そして、本実施例のＴＶ視聴機能は、携帯電話機１０が置き台Ｃｒに置かれた状態で実行されることが想定されている。
【００６９】
なお、他の実施例では、置き台Ｃｒに外部電源を接続して充電用端子を設けることで、携帯電話機１０が置き台Ｃｒに置かれると、二次電池４６が充電されるようにしてもよい。この場合、使用者は、携帯電話機１０を置き台Ｃｒに置くことで、ＴＶ放送を視聴しながら、二次電池４６を充電することができる。
【００７０】
図５はＴＶ視聴機能による映像がディスプレイ３０に表示された状態を示す図解図である。ディスプレイ３０の表示は、日時、電池残量および受信状態などを表すアイコンを含む状態表示領域６０およびＴＶ画面が表示される機能表示領域６２から構成される。また、機能表示領域６２のＴＶ画面は、映像が表示される映像領域７０およびソフトキーが表示されるキー領域７２から構成される。
【００７１】
キー領域には、ステレオ再生キー７４が表示され、キー入力装置２６に含まれるハードキーと対応する。そして、使用者は、キー入力装置２６において、ステレオ再生キー７４に対応するハードキーを操作することで、ディスプレイ３０に表示されるステレオ再生キー７４を操作することができる。
【００７２】
ここで、ＴＶ視聴機能が実行されているときに、ステレオ再生キーが操作されると、携帯電話機１０ａの第２スピーカ２２ｂおよび携帯電話機１０ｂの第２スピーカ２２ｂを利用して、ＴＶ放送の音声がステレオ出力される。
【００７３】
たとえば、ステレオ再生キーが操作されると、まず、携帯電話機１０ａと携帯電話機１０ｂとの間には近距離無線通信が確立される。次に、無線接続が確立されると、携帯電話機１０ａおよび携帯電話機１０ｂそれぞれの二次電池４６の電池残容量が比較される。比較した結果、電池残容量が多い一方の携帯電話機１０では、ＴＶ視聴機能が実行され、ＴＶ放送に含まれる音声データがステレオ音声にデコード（再生）される。また、再生によって得られた音声信号に基づく音声は第２スピーカ２２ｂから出力され、音声信号は他方の携帯電話機１０に送信される。そして、電池残容量が少ない他方の携帯電話機１０では、受信した音声信号に基づく音声が、第２スピーカ２２ｂから出力される。
【００７４】
ただし、ステレオ再生における右側（Ｒ）および左側（Ｌ）は、使用者によって手動で携帯電話機１０に設定される。そして、右側が設定された携帯電話機１０は右側のステレオ音声だけを出力し、左側が設定された携帯電話機１０は左側のステレオ音声だけを出力する。
【００７５】
図６（Ａ）を参照して、携帯電話機１０ａの方が二次電池４６の電池残容量が多ければ、携帯電話機１０ａでＴＶ視聴機能が実行され、携帯電話機１０ａの第２スピーカ２２ｂから左側のステレオ音声が出力されると共に、ＴＶ放送に対応するデジタル音声信号が携帯電話機１０ｂに送信される。そして、携帯電話機１０ｂでは、受信したデジタル音声信号に基づく、右側のステレオ音声が携帯電話機１０ｂの第２スピーカ２２ｂから出力される。
【００７６】
このように、電池残容量が多い携帯電話機１０で消費電流が大きいＴＶ視聴機能を実行し、電池残容量が少ない携帯電話機１０では音声を出力するだけにすることで、音声を出力できる時間を長くすることができる。
【００７７】
また、ステレオ再生中は、各携帯電話機１０の電池残容量が所定時間（たとえば、１０秒）毎に確認される。確認された結果、ＴＶ視聴機能を実行せずに音声を出力する携帯電話機１０電池残容量が、ＴＶ視聴機能を実行する携帯電話機１０の電池残容量よりも所定値以上大きければ、ＴＶ視聴機能を実行してデジタル音声信号を送信する携帯電話機１０を交代する。
【００７８】
たとえば、図６（Ａ），（Ｂ）を参照して、図６（Ａ）に示すように、左右のステレオ音声が出力されている状態で、携帯電話機１０ｂの電池残容量が携帯電話機１０ａの電池残容量よりも所定値以上大きくなると、図６（Ｂ）に示す状態で、左右のステレオ音声が出力される。つまり、携帯電話機１０ｂではＴＶ視聴機能が実行され音声が出力されると共に、デジタル音声信号が携帯電話機１０ａに送信される。一方、携帯電話機１０ａでは、ＴＶ視聴機能が停止され、デジタル音声信号を受信して音声を出力する。
【００７９】
このように、各携帯電話機１０の電池残容量を所定時間毎に確認することで、電池残容量が多い携帯電話機１０が、消費電流が大きいＴＶ視聴機能を実行するようになるため、ステレオ再生時間がより長くなる。特に、使用者が使う携帯電話機１０の電池残容量が他方の携帯電話機の電池残容量よりも少なければ、他方の携帯電話機１０で再生および送信された音声信号を利用して音声を出力できる。これにより、使用者は、自身の携帯電話機１０から音声が出力される時間を長くすることができる。
【００８０】
また、使用者は、２つの携帯電話機１０を利用してステレオ再生を楽しむこともできる。さらに、音声データを再生することで電池残容量が少なくなったとしても、使用者は、相手の携帯電話機１０から送信された音声信号を利用して、音声の出力を続けることができる。
【００８１】
なお、本実施例のステレオ再生は、音楽データの再生でも利用することができる。ただし、ＴＶ放送のステレオ再生であれば、２つの携帯電話機１０が同一の音声データを容易に得ることができるため、汎用性が高くなる。また、放送であれば受信できる範囲が広いため、携帯電話機１０が音声データを容易に取得することができる。
【００８２】
また、本実施例では、音声信号を送信することで生じる、出力の遅延を解消するために、ＲＴＣ２４ａが出力する時刻情報を利用して、各携帯電話機１０は同期されている。つまり、各携帯電話機１０のＲＴＣ２４ａの時刻は、基地局から発信される時刻情報を利用して常に補正されている。そして、各携帯電話機１０は、ＲＴＣ２４ａが出力する特定の時刻において、同じタイミングの右側のステレオ音声または左側のステレオ音声を出力している。ただし、上述した方法以外の他の方法を用いて、出力の遅延が解消されてもよい。たとえば、他の実施例では、音声信号を再生する前に通信による遅延を測定し、その測定結果に基づいて音声を出力するタイミングを調整する。
【００８３】
図７は、ＲＡＭ３４のメモリマップを示す図である。ＲＡＭ３４のメモリマップには、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００８４】
プログラム記憶領域３０２には、携帯電話機１０を動作させるためのプログラムが記憶されている。たとえば、携帯電話機１０を動作させるためのプログラムは、ＴＶ視聴プログラム３１０、近距離無線通信確立プログラム３１２、第１音声制御プログラム３１４および第２音声制御プログラム３１６などから構成されている。
【００８５】
ＴＶ視聴プログラム３１０は、ＴＶ視聴機能を利用する操作がされると、実行されるプログラムである。近距離無線通信確立プログラム３１２は、他の通信機器との近距離無線通信を確立するためのプログラムである。
【００８６】
第１音声制御プログラム３１４は、音声データを再生して音声を出力すると共に、音声信号を相手の携帯電話機１０に送信するためのプログラムである。また、第２音声制御プログラム３１６は、送信された音声信号を受信して、音声を出力するためのプログラムである。
【００８７】
なお、図示は省略するが、携帯電話機１０を動作させるためのプログラムには、音声着信状態を通知するためのプログラムおよび外部と通信するためのプログラムなどが含まれる。
【００８８】
続いて、データ記憶領域３０４には、時刻バッファ３３０、電池残容量バッファ３３２、出力音声バッファ３３４および受信バッファ３３６が設けられると共に、ＴＶ設定データ３３８が記憶される。
【００８９】
時刻バッファ３３０には、ＲＴＣ２４ａが出力する時刻情報が一時的に記憶される。電池残容量バッファ３３２には、電源回路４４によって取得された二次電池４６の電池残容量が一時的に記憶されるバッファである。出力音声バッファ３３４は、たとえばＴＶ視聴機能が実行されていれば、デコードされたデジタル音声信号が一時的に記憶される。また、ＴＶ設定データ３３８は、ＴＶ視聴機能で選局されたチャンネルを示す情報や、調節された音量を示す値などから構成されるデータである。
【００９０】
なお、図示は省略するが、データ記憶領域３０４には、待機状態で表示される画像データや、文字列のデータなどが記憶されると共に、携帯電話機１０の動作に必要なカウンタや、フラグも設けられる。
【００９１】
プロセッサ２４は、Ａｎｄｒｏｉｄ（登録商標）およびＲＥＸなどのＬｉｎｕｘ（登録商標）ベースのＯＳや、その他のＯＳの制御下で、図８に示すＴＶ視聴処理、図９に示す第１音声制御処理および図１０に示す第２音声制御処理などを含む複数のタスクを並列的に処理する。
【００９２】
なお、これらの処理は、携帯電話機１０ａおよび携帯電話機１０ｂのどちらも実行可能であるが、以下の説明では携帯電話機１０ａによってＴＶ視聴処理および第１音声制御処理が実行されているものとして説明する。
【００９３】
図８はＴＶ視聴処理のフロー図である。たとえば、使用者によってＴＶ視聴機能を実行する操作がされると、プロセッサ２４はステップＳ１で、ＴＶ設定データに基づいてチャンネルを選局する。つまり、ＴＶ設定データ３３８に含まれるチャンネルを示す情報（たとえば、数字列）に基づいて、ＴＶチューナ３６にチャンネルを選局する命令を出す。続いて、ステップＳ３では、受信したＴＶ放送に基づいた映像および音声を出力する。つまり、上述したように、放送信号をデコードすることで、映像をディスプレイ３０に表示し、音声を第２スピーカ２２ｂから出力する。
【００９４】
続いて、ステップＳ５では、ステレオ再生操作がされたか否かを判断する。たとえば、図５に示すステレオ再生キー７４が操作されたか否かを判断する。ステップＳ５で“ＹＥＳ”であれば、たとえばステレオ再生キー７４が操作されれば、ステップＳ７で第１音声制御処理を実行する。つまり、第１音声制御処理の命令を出し、図９に示す第１音声制御処理がＴＶ視聴処理と並列的に実行されるようにする。また、第１音声制御処理については後述するため、ここでの詳細な説明は省略する。なお、ステップＳ７で第１音声制御処理の命令を出し終えると、ステップＳ９に進む。
【００９５】
ステップＳ５で“ＮＯ”であれば、つまりステレオ再生操作がされなければ、ステップＳ９で終了操作か否かを判断する。たとえば、実行している機能を終了させるための終話キーが操作されたか否かを判断する。ステップＳ９で“ＮＯ”であれば、つまり終了操作がされていなければ、ステップＳ５に戻る。一方、ステップＳ９で“ＹＥＳ”であれば、つまり終了操作がされていれば、ステップＳ５に戻る。
【００９６】
図９は第１音声制御処理のフロー図である。たとえば、使用者によってステレオ再生操作がされると、プロセッサ２４はステップＳ２１で、交代後か否かを判断する。先述したように、２つの携帯電話機１０の電池残容量が所定以上の差を付けて逆転した場合、音声データを再生して、音声信号を送信する携帯電話機１０が交代する。そのため、ステップＳ２１では、音声データを再生し送信する携帯電話機１０が交代した直後であるか否かを判断する。ステップＳ２１で、“ＹＥＳ”であれば、つまり音声データを再生し送信する携帯電話機１０が交代した後であれば、ステップＳ３７に進む。
【００９７】
一方、ステップＳ２１で“ＮＯ”であれば、つまりステレオ再生操作がされて、第１音声制御処理が実行された場合、ステップＳ２３で近距離無線通信の確立処理が実行される。たとえば、携帯電話機１０ｂとの近距離無線通信を確立する。この際、過去に近距離無線通信が確立されたことがあれば、暗証番号の入力をせずに、携帯電話機１０ａと携帯電話機１０ｂとがペアリングされる。
【００９８】
続いて、ステップＳ２５では、第２音声制御処理の実行を指示する。つまり、携帯電話機１０ｂに対して、第２音声制御処理の実行を指示する。そして、携帯電話機１０ｂがこの指示を受けると、携帯電話機１０ｂでは第２音声制御処理が実行される。
【００９９】
続いて、ステップＳ２７では、自身の電池残容量を取得する。つまり、電源回路４４に対して二次電池４６の電池残容量を取得する命令を出し、電源回路４４が出力する電池残容量の値を電池残容量バッファ３３２に格納する。続いて、ステップＳ２９で、相手の電池残容量を受信したか否かを判断する。つまり、携帯電話機１０ｂが携帯電話機１０ｂの電池残容量を取得して送信した結果、携帯電話機１０ａがその電池残容量を受信したか否かを判断する。ステップＳ２９で“ＮＯ”であれば、つまり携帯電話機１０ｂの電池残容量を受信できなければ、ステップＳ２９の処理が繰り返して実行される。また、ステップＳ２９で“ＹＥＳ”であれば、つまり相手の電池残容量を受信すれば、ステップＳ３１で自身の電池残容量の方が多いか否かを判断する。たとえば、受信した携帯電話機１０ｂの電池残容量は受信バッファ３３６に格納される。そして、ステップＳ３１では、電池残容量バッファ３３２に格納される携帯電話機１０ａの電池残容量と、受信バッファ３３６に格納される携帯電話機１０ｂの電池残容量が比較される。なお、ステップＳ３１の処理を実行するプロセッサ２４は比較部として機能する。
【０１００】
ステップＳ３１で“ＮＯ”であれば、つまり相手の電池残容量の方が多ければ、ステップＳ４５に進む。また、ステップＳ３１で“ＹＥＳ”であれば、つまり自分の電池残容量の方が多ければ、ステップＳ３３で音声再生処理を実行する。つまり、ＴＶ放送に含まれている音声データを、ステレオ音声としてデコードする命令を出す。
【０１０１】
ステップＳ３５で音声の出力を開始し、ステップＳ３７で音声信号の送信を開始する。つまり、ステップＳ３５では、出力音声バッファ３３４に格納されているデジタル音声信号を第２Ｄ／Ａ変換器２０ｂに与えて、第２スピーカ２２ｂからＴＶ放送に対応する音声を出力する。このとき、プロセッサ２４は、第２Ｄ／Ａ変換器２０ｂに対して左側のステレオ音声を第２スピーカ２２ｂに与えるように命令を出す。
【０１０２】
また、ステップＳ３７では、出力音声バッファ３３４に格納されている音声信号を、近距離無線通信によって、携帯電話機１０ｂに送信する。なお、ステップＳ３７の処理を実行するプロセッサ２４は送信指示部として機能する。また、ステップＳ３３−Ｓ３７の処理が実行されると、音声再処理、音声の出力処理および音声信号の送信処理が、第１音声制御処理と並列的に実行される。
【０１０３】
これにより、携帯電話機１０ａから左側のステレオ音声が出力され、携帯電話機１０ｂから右側のステレオ音声が出力される。
【０１０４】
続いて、ステップＳ３９では、自身の電池残容量を取得する。つまり、音声を再生することで自身の電池残容量が相手の電池残容量よりも少なくなったかを確認するために、ステップＳ３９では電池残容量が取得される。なお、ステップＳ３９の処理は、ステップＳ２７の処理と同じであるため、詳細な説明は省略する。
【０１０５】
続いて、ステップＳ４１では相手の電池残容量を受信したか否かを判断する。つまり、ステップＳ２９の処理と同様、携帯電話機１０ｂが送信した電池残容量を受信したか否かを判断する。
【０１０６】
続いて、ステップＳ４３では、相手の電池残容量が自身の電池残容量より、所定値以上大きいか否かを判断する。たとえば、携帯電話機１０ｂの電池残容量から携帯電話機１０ａの電池残容量を引いたときの差が所定値以上であるか否かを判断する。また、ステップＳ４３の処理を実行することで、頻繁に音声を再生する携帯電話機１０が交代しないようにしている。つまり、電池残容量の多い／少ないだけで、音声を再生する携帯電話機１０を交代させてしまうと、２つの携帯電話機１０の電池残容量が略同じ状態の場合に、音声を再生する携帯電話機１０が頻繁に交代してしまう。そうすると、使用者は落ち着いてＴＶ放送を視聴できなくなる。そこで、本実施例では、ステップＳ４３の処理を実行することで、上記の問題が起きないようにしている。なお、ステップＳ４３の処理を実行するプロセッサ２４は判断部として機能する。
【０１０７】
ステップＳ４３で“ＮＯ”であれば、つまり携帯電話機１０ｂと携帯電話機１０ａとの電池残容量の差が所定値未満であれば、ステップＳ３９に戻る。なお、ステップＳ３９−Ｓ４３の処理は、所定時間（たとえば、１０秒）毎に実行される。
【０１０８】
一方、ステップＳ４３で“ＹＥＳ”であれば、つまり各携帯電話機１０の電池残容量の差が所定値以上であれば、ステップＳ４５で交代のタイミングを算出する。つまり、本実施例では、２つの携帯電話機１０が音声を出力するタイミングは同期されているため、いきなり音声を再生する携帯電話機１０を交代してしまうと、左右の音声が正常に出力されなくなってしまう。そこで、ステップＳ４５で、交代するタイミングを算出することで、音声を再生する携帯電話機１０が交代しても、正常に左右の音声が出力されるようになる。
【０１０９】
続いて、ステップＳ４７では、交代指示を送信する。つまり、算出された交代のタイミング、実行中の機能（ここでは、ＴＶ視聴機能）、実行中の機能に付随する情報（ここでは、チャンネルの情報）を含む交代指示が、携帯電話機１０ａから携帯電話機１０ｂに送信される。なお、ステップＳ４７の処理を実行するプロセッサ２４は交代指示部として機能する。
【０１１０】
続いて、ステップＳ４９では、交代済み通知を受信したか否かを判断する。たとえば、携帯電話機１０ｂが交代指示を受信すると、ＴＶ視聴機能が実行され、音声再生処理が実行され、音声の出力が開始された後に、交代済み通知が送信される。そして、携帯電話機１０ａは、このようにして携帯電話機１０ｂから送信された交代済み通知を、受信したか否かを判断する。ステップＳ４９で“ＮＯ”であれば、つまり交代済み通知を受信していなければ、ステップＳ４９の処理が繰り返し実行される。
【０１１１】
一方、ステップＳ４９で“ＹＥＳ”であれば、つまり交代済み通知を受信すれば、ステップＳ５１で実行中の機能を停止する。たとえば、携帯電話機１０ｂではＴＶ視聴機能が実行され、ＴＶ放送に対応する音声が出力されているため、携帯電話機１０ａでは音声データを再生するためのＴＶ視聴機能が停止される。また、ステップＳ５１の処理が終了すれば、第１音声制御処理が終了される。そして、携帯電話機１０ａでは、第２音声出力処理が実行される。
【０１１２】
なお、ステップＳ３１で各携帯電話機１０の電池残容量を比較した結果、携帯電話機１０ｂの電池残容量の方が多ければ、ステップＳ４５以降の処理が実行され、携帯電話機１０ｂで音声が再生されるとともに、音声信号が送信される。
【０１１３】
図１０は第２音声出力処理のフロー図である。たとえば、携帯電話機１０ｂが第２音声制御処理の実行指示を携帯電話機１０ａから受けると、ステップＳ６１では交代後か否かを判断する。つまり、第１音声制御処理のステップＳ２１と同様、音声データを再生し、送信する携帯電話機１０が交代した直後であるか否かを判断する。ステップＳ６１で“ＹＥＳ”であれば、つまり上記したように、第１音声出力処理を実行した後の携帯電話機１０ａが第２音声出力処理を実行している場合は、ステップＳ６９に進む。
【０１１４】
一方、ステップＳ６１で“ＮＯ”であれば、つまり携帯電話機１０ｂが第２音声制御処理の実行指示を受けて、第２音声制御処理を実行していれば、ステップＳ６３で自身の電池残容量を取得し、ステップＳ６５で自身の電池残容量を送信する。つまり、携帯電話機１０ａが実行する第１音声制御処理で、各携帯電話機１０の電池残容量が比較されるため、携帯電話機１０ｂは自身の電池残容量を取得して、携帯電話機１０ａに送信する。
【０１１５】
続いて、ステップＳ６７で交代指示か否かを判断する。つまり、各携帯電話機１０の電池残容量を比較した結果、携帯電話機１０ｂの電池残容量の方が多ければ、携帯電話機１０ａから交代指示が送信される。そのため、ステップＳ６７では、携帯電話機１０ａが送信した交代指示を受信したか否かを判断する。ステップＳ６７で“ＹＥＳ”であれば、つまり携帯電話機１０ｂの電池残容量の方が多くて、携帯電話機１０ａから交代指示が送信されると、ステップＳ７９に進む。
【０１１６】
一方、ステップＳ６７で“ＮＯ”であれば、つまり交代指示を受信していなければ、ステップＳ６９で音声信号を受信したか否かを判断する。つまり、携帯電話機１０ａが実行する第１音声制御処理において携帯電話機１０ａの電池残容量の方が多ければ、携帯電話機１０ａで音声が再生され、音声信号が送信される。そして、ステップＳ６７では、携帯電話機１０ｂがその音声信号を受信したか否かを判断する。
【０１１７】
ステップＳ６９で“ＮＯ”であれば、つまり音声信号を受信していなければ、ステップＳ６７に戻る。つまり、携帯電話機１０ｂが交代指示または音声信号を受信するまで、ステップＳ６７，Ｓ６９の処理が繰り返される。
【０１１８】
また、ステップＳ６９で“ＹＥＳ”であれば、つまり携帯電話機１０ａが送信した音声信号を受信すれば、ステップＳ７１で音声の出力を開始する。たとえば、音声信号が受信されると、受信バッファ３３６に格納される。そして、ステップＳ７１では、プロセッサ２４が受信バッファに格納された音声信号を第２Ｄ／Ａ変換器２０ｂに与え、第２スピーカ２２ｂは受信した音声信号に対応する音声を出力する。なお、プロセッサ２４は、第２Ｄ／Ａ変換器２０ｂに対して右側のステレオ音声を第２スピーカ２２ｂに与えるように命令を出す。したがって、携帯電話機１０ｂは、ＴＶ放送における、右側のステレオ音声を出力することができる。
【０１１９】
なお、携帯電話機１０ａでは、左側のステレオ音声が出力される。また、ステップＳ７１の処理が実行されると、携帯電話機１０ａから音声信号を受信している間は、受信した音声信号に対応する音声が出力され続ける。
【０１２０】
続いて、ステップＳ７３では自身の電池残容量を取得し、ステップＳ７５では自身の電池残容量を送信する。つまり、音声データを再生する携帯電話機１０ａでは、携帯電話機１０ｂの電池残容量よりも少なくなったかを判断しているため、携帯電話機１０ｂは自身の電池残容量を携帯電話機１０ａに送信する。なお、ステップＳ７３，Ｓ７５の処理は、ステップＳ６３，Ｓ６５の処理と同じであるため、詳細な説明は省略する。
【０１２１】
続いて、ステップＳ７７では、交代指示か否かを判断する。つまり、携帯電話機１０ｂが電池残容量を送信した結果、携帯電話機１０ｂの電池残容量の方が携帯電話機１０ａの電池残容量より所定値以上多ければ、交代指示が携帯電話機１０ａから送信される。そして、ステップＳ７７では、このようにして送信される交代指示を受信したか否かを判断する。ステップＳ７７で“ＮＯ”であれば、つまり交代指示を受信していなければ、ステップＳ７３に戻る。
【０１２２】
また、ステップＳ７７で“ＹＥＳ”であれば、つまり交代指示を受信すれば、ステップＳ７９で相手の携帯電話機と同じ機能を実行する。つまり、交代指示に含まれている、携帯電話機１０ａで実行される機能（ここでは、ＴＶ視聴機能）、実行中の機能に付随する情報（ここでは、チャンネルの情報）に基づいて、携帯電話機１０ａで実行されている機能を実行する。続いて、ステップＳ８１では音声再生処理を実行し、ステップＳ８３では音声の出力を開始する。たとえば、第１音声制御処理におけるステップＳ３３の処理と同様、ＴＶ放送に含まれている音声データをデコードする命令を出し、ステップＳ３５の処理と同様、出力音声バッファ３３４に格納されている音声信号を第２Ｄ／Ａ変換器２０ｂに与えて、第２スピーカ２２ｂからＴＶ放送に対応する音声を出力する。
【０１２３】
そして、ステップＳ８５では、交代済み通知を送信する。つまり、携帯電話機１０ｂが音声データを再生しており、携帯電話機１０ａと交代できる状態となったため、交代済み通知を携帯電話機１０ａに送信する。そして、携帯電話機１０ｂは、第２音声制御処理を終了して、第１音声制御処理を実行する。このとき、携帯電話機１０ａは、実行している機能（ここでは、ＴＶ視聴機能）を停止して、第２音声制御処理を実行する。
【０１２４】
ここで、音声データを再生する携帯電話機１０が交代した後の処理について説明する。まず、携帯電話機１０ｂがＴＶ視聴機能を実行して、第１音声制御処理を実行すると、ステップＳ２１では “ＹＥＳ”と判断される。つまり、音声データの再生および送信が「交代後」であるためステップＳ２１で“ＹＥＳ”と判断され、ステップＳ３７で音声信号の送信を開始する。つまり、携帯電話機１０ｂに対して音声信号を送信し始める。そして、携帯電話機１０ａの電池残容量が、携帯電話機１０ｂの電池残容量よりも所定値以上多くなるまで、ステップＳ３９−Ｓ４３の処理が繰り返される。
【０１２５】
一方、携帯電話機１０ａがＴＶ視聴機能を停止して第２音声制御処理を実行すると、ステップＳ６１では“ＹＥＳ”と判断される。つまり、上記したステップＳ２１と同様、音声データの再生が「交代後」であるためステップＳ６１で“ＹＥＳ”と判断され、ステップＳ６９で音声信号を受信したか否かを判断する。つまり、携帯電話機１０ｂが第１音声制御処理を実行することで音声信号が送信され、携帯電話機１０ａがその音声信号を受信したか否かを判断する。そして、音声信号を受信すれば、ステップＳ７１で音声の出力を開始する。さらに、携帯電話機１０ａの電池残容量が、携帯電話機１０ｂの電池残容量よりも所定値以上多くなるまで、ステップＳ７３−Ｓ７７の処理が繰り返される。
【０１２６】
なお、他の実施例では、携帯電話機１０が置き台Ｃｒに置かれていない状態で、ＴＶ視聴機能が実行されてもよい。
【０１２７】
また、ＴＶ放送のほかに、ラジオ放送が受信されてもよい。また、「放送」の他に、ネットワークを利用して配信された、音声データまたは映像データを受信してもよい。この場合、携帯電話機１０は、サーバ上に保存された映像または音声データを取得して、ステレオ再生がされる。そして、交代指示には、サーバのＩＰアドレスや、サイトのＵＲＬが含まれる。
携帯電話機１０の通信方式はＣＤＭＡ方式であるが、ＬＴＥ（Ｌｏｎｇ  Ｔｅｒｍ  Ｅｖｏｌｕｔｉｏｎ）方式、Ｗ−ＣＤＭＡ方式、ＧＳＭ方式、ＴＤＭＡ方式、ＦＤＭＡ方式およびＰＨＳ方式などが採用されてもよい。
【０１２８】
また、本実施例では、２つの携帯電話機１０を用いてステレオ再生する場合を例にして説明したが、ステレオ再生する場合だけでなく、その他の再生方式で再生する場合に適用してもよい。たとえば、他の実施例では、２つの携帯電話機１０を用いてモノラル再生が行われてもよい。また、利用する携帯電話機１０の数も、２つに限定されるものではなく、３つ以上の数であってもよい。
【０１２９】
また、本実施例では、２つの携帯電話機１０の各電池残容量に所定位置以上の差が生じれば音声データの再生が交代されるようにしたが、他の実施例では、他のタイミングで交代されるようにしてもよい。たとえば、電池残容量の検出や、他の端末の電池残容量との比較を所定間隔（たとえば、３０秒）毎に行うようにして、各電池残容量の大きさが逆転した場合に、電池残容量が大きい携帯電話機１０で音声データが再生されるように、交代されるようにしてもよい。
【０１３０】
また、本実施例で用いられた複数のプログラムは、データ配信用のサーバのＨＤＤに記憶され、ネットワークを介して携帯電話機１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯電話機にインストールされた場合、本実施例と同等の効果が得られる。
【０１３１】
さらに、本実施例は、携帯電話機１０のみに限らず、スマートフォンおよびＰＤＡ（Ｐｅｒｓｏｎａｌ  Ｄｉｇｉｔａｌ  Ａｓｓｉｓｔａｎｔ）に適用されてもよい。
【０１３２】
そして、本明細書中で挙げた、所定時間などの具体的な数値は、いずれも単なる一例であり、製品の仕様などの必要に応じて適宜変更可能である。
【符号の説明】
【０１３３】
１０ａ，１０ｂ    …  携帯電話機
１２    …  アンテナ
１４    …  無線通信回路
２２ｂ    …  第２スピーカ
２４    …  プロセッサ
２６    …  キー入力装置
３４    …  ＲＡＭ
３６    …  ＴＶチューナ
３８    …  ＴＶアンテナ
４０    …  近距離無線通信回路
４２    …  近距離無線通信アンテナ
４４    …  電源回路
４６    …  二次電池
【図１】
2012182772.tif 000003
【図２】
2012182772.tif 000004
【図３】
2012182772.tif 000005
【図４】
2012182772.tif 000006
【図５】
2012182772.tif 000007
【図６】
2012182772.tif 000008
【図７】
2012182772.tif 000009
【図８】
2012182772.tif 000010
【図９】
2012182772.tif 000011
【図１０】
2012182772.tif 000012